(57)【特許請求の範囲】
【請求項１】
浮遊粉じんを吸引して除去する空気清浄機を当該空気清浄機に接近した人を検知して自動運転する空気清浄機の運転制御装置において、
前記空気清浄機の適所に設置され、人を検知する人感センサと、
前記人感センサの検知信号を受けて前記空気清浄機を起動する運転制御回路とを備え、
前記人感センサは、焦電型赤外線センサであり、
前記人感センサは、前記空気清浄機の浮遊粉じん吸引可能範囲の床投影面のほぼ全面をカバーするために前記空気清浄機の複数箇所に下向きに設置されており、
前記人感センサは、前記空気清浄機の検知範囲以内まで近づいてきた人の下肢部から放射される赤外線を受光して、前記空気清浄機の浮遊粉じん吸引可能範囲の床投影面の境界内に進入した人を検知するものであると共に、
前記人感センサの検知能力を、当該空気清浄機の浮遊粉じん吸引可能範囲にほぼ一致させたことを特徴とする空気清浄機の運転制御装置。
【請求項２】
請求項１に記載の空気清浄機の運転制御装置において、
前記空気清浄機の浮遊粉じん吸引可能範囲の床投影面が当該空気清浄機の周囲から等距離である場合に、前記人感センサの検知範囲を当該空気清浄機の浮遊粉じん吸引可能範囲の床投影面とほぼ一致するように設定したことを特徴とする空気清浄機の運転制御装置。
【請求項３】
請求項１に記載の空気清浄機の運転制御装置において、
前記空気清浄機の浮遊粉じん吸引可能範囲の床投影面が当該空気清浄機の周囲から不等距離である場合に、前記人感センサの検知範囲を当該空気清浄機の周囲から等距離の範囲とし、かつ前記浮遊粉じん吸引可能範囲の床投影面のうち前記空気清浄機から最も遠い距離とほぼ一致する距離範囲に設定したことを特徴とする空気清浄機の運転制御装置。
【請求項４】
請求項１〜請求項３のいずれか１項に記載の空気清浄機の運転制御装置において、
前記空気清浄機はテーブル上面に空気吸込口が設けられたカウンタ型若しくはテーブル型であり、前記人感センサは、前記テーブルの下面に設置されていることを特徴とする空気清浄機の運転制御装置。
【請求項５】
請求項４に記載の空気清浄機の運転制御装置において、
前記人感センサが、前記テーブルの対角線上の２カ所に下向きに設置されたことを特徴とする空気清浄機の運転制御装置。
【請求項６】
請求項１〜請求項５のいずれか１項に記載の空気清浄機の運転制御装置において、
前記運転制御回路は、前記人感センサの検知信号を受けて前記空気清浄機を所定の設定時間だけ運転することを特徴とする空気清浄機の運転制御装置。
【請求項７】
請求項１〜請求項６のいずれか１項に記載の空気清浄機の運転制御装置において、
前記人感センサの検知信号の出力が途絶えた時に起動し、この検知信号が再度出力された時にリセットするタイマを備え、前記タイマがカウントアップした時に、前記空気清浄機の運転を停止し、前記タイマの設定時間は、３分から７分迄の間であることを特徴とする空気清浄機の運転制御装置。
【発明の詳細な説明】
【０００１】
【発明の属する技術分野】
本発明は、煙草の煙のような浮遊粉じんを吸引して除去し、空気を清浄化する空気清浄機を自動運転する空気清浄機の運転制御装置に関する。
【０００２】
【従来の技術】
近年、職場における喫煙対策ガイドラインが労働省安全衛生部環境改善室から発表され、職場において喫煙の影響が非喫煙者の健康に及ぶ影響を防ぎつつ、喫煙者と非喫煙者が良好な関係の下に就業できるように、特に喫煙者のために喫煙区画を設け、その区画内には喫煙対策機器を設置して煙草から出る煙や喫煙者の吐き出す煙を吸い込んで除去し、煙草の煙が喫煙区画から拡散することがないようにして受動喫煙を防止する分煙対策（空間分煙）をとることが勧められている。
【０００３】
このような空間分煙に有効な喫煙対策機器の１つとして、煙草の煙が拡散する前に吸引して屋外に排出する装置や、煙草の煙を吸い込んで除去し、清浄化した空気を屋内に戻す空気清浄機がある。
【０００４】
この空気清浄機の場合、職場に喫煙区画を設けてその区画内に設置し、喫煙者は喫煙区画に来て空気清浄機を作動させ、喫煙することが求められる。そこで、喫煙者がいつでも喫煙区画に来れば喫煙できる職場のルールを定めた場合、喫煙区画に設置してある空気清浄機を常時稼働させておく必要がある。
【０００５】
しかしながら、喫煙室には喫煙者が来て常時喫煙しているわけではなく、誰もいない時間も長くなる。そのような環境では、空気清浄機を常時稼働させておくことは省エネ対策上好ましいことではない。
【０００６】
そこで従来、このような空間分煙対策上、喫煙室に設置される空気清浄機に対して、喫煙者が空気清浄機に近づいた場合にのみその人を検知して起動させ、煙草の煙を浄化しようとする提案がなされている。図２６及び図２７はこのような自動運転機能を備えた空気清浄機１の従来例を示している。この従来の空気清浄機１は、喫煙者に立ったまま喫煙させるカウンタ型、または喫煙者にいすに座った状態で喫煙させるテーブル型のもので、テーブル２の上面側に空気吸込口３が備えられ、テーブル２よりも下側の本体側面部に人が近づくのを検知する人感センサ４を取り付けている。そして人がこの空気清浄機１に近づくと、人感センサ４がその人を検知して空気清浄機１を起動し、人を検知しなくなれば停止するようにしている。
【０００７】
また従来、空気清浄機の運転制御装置として、空気清浄機の近くの空気中の浮遊粉じんを空気汚れセンサで監視し、所定以上の汚れを検知した時に空気清浄機を起動し、空気中の汚れが所定以下まで清浄化されると停止する方式のものも知られている。さらに人感センサと汚れセンサとを併用したものも知られている。
【０００８】
【発明が解決しようとする課題】
このような従来の分煙対策用の空気清浄機は、人が近づくことによってそれを検知して運転のオン／オフを行うようにしたものでは、常時稼働しているものに比べて有効な省エネが図れる利点がある。しかしながら、次のような問題点があった。
【０００９】
図２６及び図２７に示すように、従来の空気清浄機の運転制御装置では人感センサ４の検知範囲を人感センサそのものの検知可能範囲にいわば任せていて、その範囲を制御していなかったために、喫煙区画Ａより外を人Ｂが動いても無差別に検知して空気清浄機１を起動させることになり、空気清浄機１の無駄な作動時間が長くなり、かつオン／オフが回数の多くなり、省エネ対策上さらに改善が必要とされていた。また従来の空気清浄機の運転制御装置の場合、人感センサが人を検知しなくなれば運転停止するようにしていたため、喫煙者が立ち去った後に残る煙が浄化されないまま残り、空気浄化が不十分である問題点もあった。
【００１０】
また汚れセンサを用いて空気の汚れを検知して空気清浄機をオン／オフする空気清浄機の運転制御装置では、特に煙草の煙を除去する装置として使用する場合、煙草に火を着けて喫煙者が吸い込み、吐き出して空気清浄機の周囲に漂うようになった煙を検知することによって作動させるので、煙が発生して空気清浄機が起動し、それを除去するようになるまでのタイムラグが長く、喫煙区画外に煙が拡散してしまう問題点があった。
【００１１】
さらに人感センサと汚れセンサとを併用した空気清浄機の運転制御装置の場合、センサ類とその信号による制御回路とのコストアップが避けられないこと、また人感センサが空気清浄機の吸引可能範囲外にいる人をも検知して作動してしまう問題を解決できない問題点があった。
【００１２】
本発明はこのような従来の問題点に鑑みてなされたもので、空気清浄機の近くに来て喫煙しようとする人だけを検知して空気清浄機を起動し、無駄な起動を避けることができて、省エネの向上が図れる空気清浄機の運転制御装置を提供することを目的とする。
【００１３】
本発明はまた、喫煙者が喫煙区画から立ち去った後にもしばらくの間空気清浄機を作動させておくことによって煙を完全に浄化することができ、職場の分煙化に効果的な空気清浄機の運転制御装置を提供することを目的とする。
【００１４】
【課題を解決するための手段】
請求項１に記載の発明は、浮遊粉じんを吸引して除去する空気清浄機を当該空気清浄機に接近した人を検知して自動運転する空気清浄機の運転制御装置において、前記空気清浄機の適所に設置され、人を検知する人感センサと、前記人感センサの検知信号を受けて前記空気清浄機を起動する運転制御回路とを備え、前記人感センサは、焦電型赤外線センサであり、前記人感センサは、前記空気清浄機の浮遊粉じん吸引可能範囲の床投影面のほぼ全面をカバーするために前記空気清浄機の複数箇所に下向きに設置されており、前記人感センサは、前記空気清浄機の検知範囲以内まで近づいてきた人の下肢部から放射される赤外線を受光して、前記空気清浄機の浮遊粉じん吸引可能範囲の床投影面の境界内に進入した人を検知するものであると共に、前記人感センサの検知能力を、当該空気清浄機の浮遊粉じん吸引可能範囲にほぼ一致させた空気清浄機の運転制御装置である。
【００１５】
請求項１の発明の空気清浄機の運転制御装置では、人感センサが空気清浄機の浮遊粉じん吸引可能範囲内にいる人を検知し、運転制御回路がこの人感センサの検知信号を受けて空気清浄機を起動して空気清浄化を行う。したがって、従来のように空気清浄機の吸引可能範囲外の人でも人感センサがその存在または動きを検知すれば空気清浄機を起動する場合に比べて、実際に空気清浄機の近くに来て煙草を吸おうとする喫煙者のみを確実に検知して空気清浄機を起動させて空気清浄化を行い、無駄な起動回数を少なくして省エネを図り、かつ必要な場合には確実に空気清浄機を動作させる。
【００１６】
請求項２の発明は、請求項１の空気清浄機の運転制御装置において、前記空気清浄機の浮遊粉じん吸引可能範囲の床投影面が当該空気清浄機の周囲から等距離である場合に、前記人感センサの検知範囲を当該空気清浄機の浮遊粉じん吸引可能範囲の床投影面とほぼ一致するように設定したものである。
【００１７】
通常、分煙対策で職場に喫煙区画を設定して空気清浄機を設置する場合、喫煙者は空気清浄機の周囲の任意の位置で喫煙する傾向があるが、請求項２の発明の空気清浄機の運転制御装置のように、空気清浄機の周囲から等距離範囲にある浮遊粉じん吸引可能範囲に人感センサの検知範囲を一致させることにより、空気清浄機の周囲のいずれの位置で人が喫煙しても、その喫煙者を自動的に検知して空気清浄機を起動し、煙草の煙を吸引して清浄化できるようになる。
【００１８】
請求項３に記載の発明は、請求項１に記載の空気清浄機の運転制御装置において、前記空気清浄機の浮遊粉じん吸引可能範囲の床投影面が当該空気清浄機の周囲から不等距離である場合に、前記人感センサの検知範囲を当該空気清浄機の周囲から等距離の範囲とし、かつ前記浮遊粉じん吸引可能範囲の床投影面のうち前記空気清浄機から最も遠い距離とほぼ一致する距離範囲に設定した空気清浄機の運転制御装置である。
【００１９】
請求項３の発明の空気清浄機の運転制御装置では、空気清浄機の浮遊粉じん吸引可能範囲の床投影面が当該空気清浄機の周囲から不等距離である場合に、人感センサの検知範囲を当該空気清浄機の周囲から等距離の範囲とし、かつ浮遊粉じん吸引可能範囲の床投影面のうち空気清浄機から最も遠い距離とほぼ一致する距離範囲に設定したので、最も吸引可能距離が長い側面を壁と反対側に位置させるようにして空気清浄機を壁際に設置する場合に、空気清浄機に効率良く煙草の煙を吸込ませて浄化させることができる。
【００２０】
請求項４に記載の発明は、請求項１〜請求項３のいずれか１項に記載の空気清浄機の運転制御装置において、前記空気清浄機はテーブル上面に空気吸込口が設けられたカウンタ型若しくはテーブル型であり、前記人感センサは、前記テーブルの下面に設置されている空気清浄機の運転制御装置である。
【００２１】
請求項５に記載の発明は、請求項４に記載の空気清浄機の運転制御装置において、
前記人感センサが、前記テーブルの対角線上の２カ所に下向きに設置された空気清浄機の運転制御装置である。
【００２２】
請求項６に記載の発明は、請求項１〜請求項５のいずれか１項に記載の空気清浄機の運転制御装置において、前記運転制御回路は、前記人感センサの検知信号を受けて前記空気清浄機を所定の設定時間だけ運転する空気清浄機の運転制御装置である。
【００２３】
請求項７に記載の発明は、請求項１〜請求項６のいずれか１項に記載の空気清浄機の運転制御装置において、前記人感センサの検知信号の出力が途絶えた時に起動し、この検知信号が再度出力された時にリセットするタイマを備え、前記タイマがカウントアップした時に、前記空気清浄機の運転を停止し、前記タイマの設定時間は、３分から７分迄の間である空気清浄機の運転制御装置である。
【００３２】
【発明の実施の形態】
以下、本発明の実施の形態を図に基づいて詳説する。図４〜図８は本発明の第１の実施の形態のテーブル型空気清浄機１１を示しており、図１はその運転制御装置の機能構成を示している。
【００３３】
図４〜図８に示すように、空気清浄機１１はテーブル１３の上面中央部に形成された空気吸込ドーム１２から空気を吸い込み、本体１４内に設けられている清浄機ユニット（図示せず）によって吸い込んだ空気中の浮遊粉じんを除去し、清浄化された空気を本体１４の下部から吹き出す構成であり、従来から広く使用されている種々の形式のものが利用される。この空気清浄機１１は、分煙対策の一環として特にオフィス、食堂、廊下などに喫煙区画を定め、喫煙者は喫煙区画内に来て煙草を吸うようにルールを定めた職場で、そのような喫煙区画に設置して使用する。
【００３４】
図４に詳しいように、空気清浄機１１にはメインスイッチとしてのオン／オフスイッチ１５、自動／手動切替スイッチ１６及びハイ／ロー切替スイッチ兼表示部１７が設置されていて、自動／手動切替スイッチ１６を手動側に切り替えている場合には、オン／オフスイッチ１５をオン操作して電源を投入することによって空気清浄機１１を作動させることができ、また自動／手動切替スイッチ１６を自動側に切り替えている場合には、オン／オフスイッチ１５をオン操作した状態で、後述する人感センサ１８が人を検知した時に自動的に空気清浄機１１を作動させることができる。ハイ／ロー切替スイッチ兼表示部１７は空気清浄機１１の空気吸込量のハイ／ロー切替を設定し、また空気清浄機１１の運転時にハイ／ローいずれかのランプを点灯させることによってハイ／ローいずれで運転しているかを表示するものである。
【００３５】
人感センサ１８は、焦電型赤外線センサ、超音波センサ、反射光検知型センサなど人を検知するセンサであれば特に限定されないが、この実施の形態では焦電型赤外線センサを使用している。この焦電型赤外線センサは、半球形の赤外線受光部の全面で受光する赤外線を光電変換素子上に集光し、その受光量に応じた電圧信号に変換し、かつ電圧出力の微分値があるしきい値以上に変化した時に人検知信号を出力する方式である。したがって、後述する検知範囲２１に人が入って来た時、また検知範囲内で人が動くか移動した時に人から放射される赤外線の受光量が変化することによって人検知する。
【００３６】
そしてこの焦電型赤外線センサで成る人感センサ１８は、テーブル１３の下面の長辺側の中央部に下向きに設置されている。この人感センサ１８の検知範囲２１は図９〜図１１に示すように、空気清浄機１１の浮遊粉じん吸引可能範囲２２の床投影面にほぼ一致する範囲に調整してある。ただし、第１の実施の形態の場合、空気清浄機１１は空気吸込ドーム１２の短辺側にも吸引可能範囲を有するが、人感センサ１８はテーブル１３の長辺側中央部に設置されているために、この短辺側には不感範囲２３が形成されることになる。この人感センサ１８の検知範囲を数字で示すと、空気清浄機１１の吸い込み能力に依存するが、例えば、テーブル１３の周囲２ｍ程度以内の範囲である。そしてこの限定された検知範囲２１内まで近づいた人及びその範囲内に存在する人だけを検知する目的で、人感センサ１８の取付高さは床面から１ｍ程度で、かつ下向きに取り付ける。
【００３７】
いま、図１２及び図１３に示すように、空気清浄機１１の近くを単に通り過ぎるだけの人Ｍａ，Ｍｃと煙草を吸うために空気清浄機１１に近づいてくる人Ｍｂとが区別され、従来であれば検知する範囲を単に通り過ぎる人Ｍａ，Ｍｃに対して、この実施の形態で用いられている人感センサ１８は動作せず、空気清浄機１１の検知範囲２１以内まで近づいてきた人の下肢部から放射される赤外線を受光して動作するのである。
【００３８】
次に、本発明の第１の実施の形態の運転制御装置の制御機能について説明する。図１は空気清浄機１１の内部に組み込まれる運転制御装置の回路ブロック図である。周囲から赤外線を受光し、その受光量に応じた電圧に光電変換して出力する赤外線受光部３１と、この赤外線受光部３１の出力する電圧信号を増幅する増幅回路３２と、増幅回路３２の電圧出力の微分を行い、所定のしきい値以上の変化を検知した時に人検知信号を出力する検出回路３３を備えている。
【００３９】
またこの検出回路３３の人検知信号を受けてリセットし、その後の人不検知信号によってタイムカウントを開始し、所定時間、例えば、２分あるいは５分の設定時間を経過するとタイムアップするタイマー３４と、種々の運転指令を入力する操作部３５と、制御回路３６とを備えている。制御回路３６は後述するように図２のフローチャートの論理により、操作部３５の信号と、検出回路３３の信号及びタイマー３４の信号とにより、空気清浄機ユニット３７に対して高圧電源のオン／オフ及びファンのオン／オフ信号を出力し、また表示部３８に対して運転表示のオン／オフ信号を出力する。
【００４０】
上記の赤外線受光部３１と増幅回路３２と検出回路３３は人感センサ１８を構成し、操作部３５は前述したオン／オフスイッチ１５、自動／手動切替スイッチ１６及びハイ／ロー切替スイッチ１７を含む。
【００４１】
次に、上記構成の空気清浄機の運転制御装置の動作について、図２のフローチャートを参照して説明する。なお、本実施の形態では、タイマー３４は５分に設定したものとして、また自動／手動切替スイッチ１６は自動運転に設定されているものとして説明する。
【００４２】
図２のフローチャートに示すように操作部３５のオン／オフスイッチ１５によって電源投入すると、自動／手動運転切替スイッチ１６が自動に設定されている場合には、制御回路３６が自動運転制御を開始する（ステップＳ１，Ｓ２）。
【００４３】
自動運転制御ルーチンは所定周期ごとに繰り返され、空気清浄機１１の人感センサ１８の検知範囲２１内に人が進入して来ると、人感センサ１８の赤外線受光部３１はそれまで人がいない時のバックグラウンドの赤外線を検知していたものが、人の接近によってその人の下肢部から放射される赤外線を受光して受光量が変化し、出力電圧が変化する。そこで増幅器３２で増幅された受光電圧信号の微分値がしきい値よりも大きくなり、検出回路３３が人検知信号を出力する。また空気清浄機１１のそばで煙草を吸い始めた人は、喫煙中じっとしているのではなく、わずかながらも体を右や左に動かしたり足を組んだり、移動させたりする。このように人の動きがあると赤外線受光部３１の受光する赤外線量が変化するので、検出回路３３は検知動作周期ごとに繰り返し人検知信号を出力する（ステップＳ３）。
【００４４】
検出回路３３が人検知信号を出力すると、タイマー３４はリセットし、制御回路３６は空気清浄機１１を起動する（ステップＳ３〜Ｓ５）。この場合、制御回路３６は操作部３５からオン／オフスイッチ１５が投入され、かつ自動／手動運転切替スイッチ１６が自動に設定されている情報を受け取っていれば、検出回路３３から人検知信号を受け取った時に空気清浄機ユニット３７に起動信号を出力し、また表示部３８に運転中表示信号を出力する。こうして、まず最初の人検知によって空気清浄機１１は自動起動するのである。
【００４５】
空気清浄機１１をいったん起動した後も周期的に人検知動作を繰り返し（ステップＳ６）、人感センサ１８が人を検知し、検出回路３３が検知信号を出力し続けている間は、検知周期ごとにタイマー３４をリセットし、空気清浄機１１の運転を継続する（ステップＳ４，Ｓ５）。
【００４６】
空気清浄機１１から人が離れ、あるいは人の動きが停止すると、ステップＳ６で検出回路３３が不検知信号を出力するようになり、タイマー３４は所定の設定時間のタイムカウントを開始する（ステップＳ７）。そしてタイムカウント中もタイムアップするまで空気清浄機１１の運転を継続し、また人検知を周期的に繰り返す（ステップＳ８，Ｓ５，Ｓ６）。
【００４７】
いったん不検知になった後も（ステップＳ６でＮＯに分岐）、タイマー３４のタイムアップ前（ステップＳ８でＮＯに分岐）に再び人を検知するようになると、再度ステップＳ６に来た時にＹＥＳに分岐して、タイマー３４をリセットする（ステップＳ４）。そして空気清浄機１１は継続して運転しつつ、周期的に人検知を繰り返す（ステップＳ５，Ｓ６）。
【００４８】
空気清浄機１１から人が離れ、ステップＳ６で検出回路３３が不検知信号を出力するようになり、タイマー３４がタイムアップすると（ステップＳ８でＹＥＳに分岐）、空気清浄機１１の運転を停止する（ステップＳ９）。そしてその後も、ステップＳ３に戻って人検知を周期的に繰り返す。
【００４９】
以上の動作を行う空気清浄機の運転制御装置による具体的な動作を、図３のタイミングチャートに基づいて説明する。タイミングｔ０に空気清浄機１１の本体１４に設置されているオン／オフスイッチ１５によって電源投入操作したとする。その場合、タイミングｔ１に人が空気清浄機１１にその検出範囲２１内まで近づいて来ると、人感センサ１８が人の接近を検出して空気清浄機１１が自動起動される。
【００５０】
タイミングｔ１に検出回路３３の人検出信号によりタイマー３４はリセットされる、そしてその後も、喫煙中の人が絶えず動き、あるいは新しく別の人が空気清浄機１１に近づいてくるなどにより、検出動作周期ごとに検出回路３３が人検出信号を出力し、適宜タイマー３４はリセットされる。
【００５１】
そしていま、タイミングｔ２１〜ｔ２２、またタイミングｔ３１〜ｔ３２に示すように喫煙者の動きが一時的に停止して人感センサ１８が不検出である間、タイマー３４はタイムカウントを行っている（▲１▼の期間）。しかしながら、設定時間である５分を経過する前に人感センサ１８が再度人を検出すれば、タイマー３４はタイムカウントをリセットする。
【００５２】
この後、タイミングｔ４で喫煙者が煙草を吸い終えて空気清浄機１１のそばから離れ、人感センサ１８が不検出となれば、タイマー３４はタイムカウントを開始し、設定時間である５分間（▲２▼の期間）のタイムカウントを行い、タイミングｔ５にカウントアップすれば制御回路３６にカウントアップ信号を出力し、制御回路３６は空気清浄機１１の運転を停止する。
【００５３】
次に第２のシチュエーションについて説明する。タイミングｔ６に喫煙者ａ１が空気清浄機１１の近くに来て喫煙を始めたする。これを人感センサ１８はそれを感知し、検出回路３３から検出信号を出力し続ける。従って制御回路３６は空気清浄機１１を起動し、その喫煙が終了するタイミングｔ７まで継続して作動す る。更に、その喫煙者が立ち去り、人感センサ１８がそれを感知し検出回路３３から不検出信号を出力した場合、設定時間５分間のタイムカウントを開始する。
【００５４】
タイミングｔ７で喫煙者ａ１が立ち去った後、タイマー３４の設定時間が経過する前に、別の喫煙者ａ２が空気清浄機１１の側にやって来て喫煙を始めるとする。その場合、タイミングｔ８１で人感センサ１８が人の動きを検出して検出信号を出力する。従って、タイミングｔ７からタイミングｔ８１迄タイムカウントを行われ、その後、タイミングｔ８でタイマー３４はタイムカウントをリセットする。そして、煙草を吸っている際、その喫煙者は、タイミングｔ８１からタイミングｔ８２の間動いていたが、タイミングｔ８２からタイミングｔ９迄は、じっとして動かなかったものとする。この動きが停止している間は人感センサ１８の赤外線受光量が変化しなくなるために、検出回路３３は不検出信号を出力することになる。そこでタイマー３４はタイミングｔ８２でタイムカウントを開始するようになる。
【００５５】
この後、タイミングｔ９に喫煙者ａ２が煙草を吸い終えて空気清浄機１１の場所から離れると、その際の動きによって検出回路３３は検出信号を出力し、タイマー３４はリセットされる。そしてタイミングｔ１０に喫煙者ａ２が人感センサ１８の検出範囲２１から出てしまうと、検出回路３３は不検出信号をタイマー３４に与え、タイマー３４は５分の設定時刻のタイムカウントを開始し、タイムアップするタイミングｔ１１に制御回路３６が空気清浄機ユニット３７にオフ信号を出力し、表示部３８に信号を出力して空気清浄機１１を停止させる。
【００５６】
さらに別のシチュエーションについて説明する。タイミングｔ１２からタイミングｔ３１の少しの間だけ、すなわち空気清浄機１１の人感センサ１８の検知範囲２１内を人が通過しただけの場合は、タイミングｔ１２に検出回路３３はタイマー３４と制御回路３６に検出信号を与えて空気清浄機１１を動作させ、タイマー３４を動作させる。そしてタイミングｔ１３に空気清浄機１１の検知範囲２１から離れると、検出回路３３は不検出信号を出力するようになり、これを受けてタイマー３４はタイムカウントを開始して設定時間５分間のタイムカウントを行い、タイムアップのタイミングｔ１４に制御回路３６が空気清浄機１１を停止させる。
【００５７】
ここで、タイムアップのタイミングの例として、５分後を設定してある理由は以下の通りである。先ず、喫煙者が煙草を吸っている最中に装置を停止させないためである。人感センサ１８は、前述の通り「人の動き」を検知しているため、センサの検知範囲に喫煙者が居ても動かずにじっとしていると検知しない。本願発明のテーブル・カウンタータイプの空気清浄機は前述の通り、検知範囲２１以内まで近づいてきた人の下肢部（下半身）から放射される赤外線を受光して空気清浄機のＯＮ／ＯＦＦを行うようにしている。このような空気清浄機の近傍で、通常煙草を吸っているときは、上半身は動きがあるものと考えられるが、下半身は動かない場合があることも考慮する必要がある。下半身が動かない場合は、前述の通りセンサの検知範囲に喫煙者が居ても検知はされない。従って、下半身を動かさない場合はこれらを考慮して適切な時間を設定して、喫煙者がタバコを吸っている最中に空気清浄装置を停止させないようにする必要がある。本件発明者の実測によれば、煙草を吸う平均時間は、約５分／本程度であるので、喫煙者が煙草を吸っている最中に装置を停止させないためには、設定時間を５分程度にすれば良いことになる。
【００５８】
もう１つの理由は、喫煙者が吸いかけの煙草を消さずに灰皿に残して立ち去った場合、煙草が消えて煙りが出なくなるまで装置を停止させないためである。本件発明者の実測によれば、喫煙者が煙草を吸い残す場合でも、多くの場合、半分程度は吸っている。又、実験によれば、１本の未使用煙草が燃えつきるのに約１０分かかるので、半分残った煙草が消えるまでには約５分かかることになる。
【００５９】
一方、省エネルギーの見地からすれば、不要な運転は極力避けるべきである。例えば、完全でなくとも、煙草の残煙の大部分を除去できれば良しとするのであれば、タイマーの設定時間を１分程度にすればよい。
【００６０】
逆に、完全を期して、喫煙者が退室した後に室内にもれた煙をも集じんするには、もう少し長い時間に設定すればよい。例えば、平均的な具体例として、空気清浄機の風量が１分間あたり１５立方メートルで、１５０立方メートルの喫煙室の空気を一回巡回処理可能な時間は１０分程度であるので、この時間に設定すれば効果的な集じんが行われることになる。
【００６１】
従って、タイマーの設定時間は、省エネルギーと集じん効果のバランスから、１分から１０分の間に設定することが望ましいと考えられる。
【００６２】
このようにして、この第１の実施の形態の空気清浄機の運転制御装置では、最初に喫煙者が空気清浄機１１の人感センサ１８の検知範囲２１に入って来て喫煙し、喫煙終了後に空気清浄機１１の場所から離れる状況では、空気清浄機１１の近くで喫煙している時間＋タイマー設定時間の間は空気清浄機１１を自動運転するのである。したがって、いま喫煙者が空気清浄機１１のそばで煙草を吸い終えて立ち去った時にすぐに空気清浄機を停止させる従来のものと比べると、喫煙者が立ち去って後にも空中に漂っている煙草の煙を完全に除去してから空気清浄機の運転を自動的に停止させることができ、煙草の煙の拡散を効果的に防止することができるようになる。
【００６３】
なお、上記の第１の実施の形態ではタイマー３４の設定時間を５分間に設定したが、これは特に限定されるものではなく、喫煙者が空気清浄機１１の場所から立ち去った後にも残っている煙を除去するのに必要な時間で、例えば２分間の設定にすることもできる（第２の実施の形態）。そしてこのような短い時間設定をすると、第１の実施の形態の場合よりも空気清浄機１１の自動運転時間を短くすることができ、より省エネ効果を発揮させることができる。
【００６４】
次に、本発明の第３の実施の形態を図１４〜図２１に基づいて説明する。第３の実施の形態の特徴は、図１に示す運転制御装置をカウンタ型空気清浄機１１′に組み込んだ点にあり、したがって人検知による空気清浄機ユニット３７の自動運転制御動作は第１の実施の形態と同じである。図１４〜図１８に示すように、第３の実施の形態の場合にも人感センサ１８はカウンタ型空気清浄機１１′のテーブル１３の下面の長辺側の中央部に下向きに設置してある。
【００６５】
第３の実施の形態のカウンタ型空気清浄機１１′は、従来同様に本体１４′をテーブル型の本体１４よりも高くすることによって、人が立ったままで煙草を吸う場合に吐き出す煙や煙草から立ち上る煙（副流煙）を効果的に吸い込める高さに吸込ドーム１２が位置する。
【００６６】
また図１９及び図２０に示すように、人感センサ１８の検知範囲２１′はテーブル型空気清浄機１１の場合と同様に（検知範囲の面積は異なる場合もある）、空気清浄機１１′の浮遊粉じん吸引可能範囲２２′の床投影面にほぼ一致する範囲に調整してあり、例えば、テーブル１３の周囲２ｍ程度以内の範囲である。そしてこの限定された検知範囲２１′内まで近づいた人及びその範囲内に存在する人だけを検知する目的で、人感センサ１８の取付高さは床面から１ｍ程度で、かつ下向きに取り付ける。
【００６７】
第３の実施の形態の場合にも、図２１に示すように空気清浄機１１′の近くを単に通り過ぎるだけの人Ｍａと煙草を吸うために空気清浄機１１′に近づいてくる人Ｍｂとが区別され、従来であれば検知していた範囲を単に通り過ぎる人Ｍａに対して、この実施の形態で用いられている人感センサ１８は動作せず、空気清浄機１１′の検知範囲２１′以内まで近づいてきた人の下肢部から放射される赤外線を受光して動作するのである。
【００６８】
この第３の実施の形態においても、空気清浄機１１′の設置場所に来て煙草を吸う人を検知して運転開始し、また人が立ち去った後も一定時間だけ空気清浄機１１′を運転させた後に停止する制御を行うことによって、喫煙区画で煙草を吸う人の煙や副流煙が非喫煙場所に拡散するのを効果的に防止し、かつ空気清浄機１１′の近くを通り過ぎるだけの人を検知して作動させる無駄も削減することができ、分煙対策ができ、かつ省エネの改善が図れる。
【００６９】
次に、本発明の第４の実施の形態を図２２に基づいて説明する。第１〜第３の実施の形態では、人感センサ１８の検知範囲２１，２１′は人感センサ１８を中心とした半円形の範囲としたが、これは人感センサ１８の赤外線受光部３１が半球状で、かつテーブル１３と本体１４（第３の実施の形態では１４′）との付け根部分に下向きに取り付けたためである。しかしながら、空気清浄機１１（第３の実施の形態では１１′）の浮遊粉じん吸引可能範囲の平面投影は、現実には吸込ドーム１２が直方体形状であるために図２２に斜線を付して示した範囲２５のようになる。
【００７０】
したがって、この範囲２５内に喫煙者が来て喫煙しないと空気清浄機１１，１１′は煙草の煙を効率良く吸い込んで除去することはできない。そこで、第４の実施の形態の空気清浄機の運転制御装置では、テーブル１３の下面に下向きに取り付ける人感センサ１８に対して、マスク、フィルタその他の手段を用いて特に本体１４，１４′の側面に垂直な方向での検知距離を短くすることにより、人感センサ１８の人検知範囲を空気清浄機１１，１１′の浮遊粉じん吸引可能範囲２５にほぼ一致させている。
【００７１】
次に、本発明の第５の実施の形態を図２３に基づいて説明する。職場に喫煙区画を設定してそこに空気清浄機１１を設置して煙草の煙を空気清浄機１１，１１′で吸引して浄化し、非喫煙区域に煙が拡散しないようにする分煙対策を採用する場合、喫煙者はこの空気清浄機１１，１１′の近くに来て喫煙することになるが、その場合には喫煙者は空気清浄機１１，１１′のテーブル１３の周囲の３６０度どの方向にも存在する可能性が高いので、空気清浄機１１，１１′の周囲３６０度のどの位置で喫煙する人をも検知して空気清浄機１１の自動運転を行えるようにするのが望ましく、そのためには人感センサ１８の検知範囲２１，２１′を空気清浄機１１，１１′のテーブル１３の周囲にほぼ等距離とするのが好ましい。
【００７２】
そこで図２３に示すように、第５の実施の形態の空気清浄機の運転制御装置では、テーブル１３の３６０度全周囲において空気清浄機１１，１１′からほぼ等距離の範囲２６内の人を検知するために、人感センサ１８の取付位置、または取付個数を調節している。すなわち、２個の人感センサ１８ａ，１８ｂを空気清浄機１１，１１′のテーブル１３の下面に取り付けるのに、その取付位置をテーブル１３の対角線上の位置にしている。
【００７３】
２個の人感センサ１８ａ，１８ｂそれぞれをテーブル１３の下面の対角線上の位置に設定することにより、各人感センサ１８ａ，１８ｂが相隣合う２側面の周囲２６ａ，２６ｂそれぞれをカバーし、両者の検知範囲２６ａ，２６ｂを合わせることによって最低限度の個数である２個の人感センサ１８ａ，１８ｂで空気清浄機１１，１１′の３６０度全周囲における吸引可能範囲２６の人を検知することができる。
【００７４】
なお、この第５の実施の形態では最低限度の２個の人感センサ１８ａ，１８ｂを用い、その取付位置に工夫を加えることで空気清浄機１１，１１′の全周囲の人検知を可能としたが、より単純な方法では、図２４に示すようにテーブル１３の下面の４辺それぞれに人感センサ１８を取り付けることもできる（第６の実施の形態）。
【００７５】
次に、本発明の第７の実施の形態を図２５に基づいて説明する。空気清浄機１１，１１′の浮遊粉じん吸引可能範囲の平面投影が、機種によってはテーブル１３の周囲から不等距離の範囲２５′に設定されているものもある。このような空気清浄機１１，１１′に対して人感センサ１８の検知範囲２１″を設定する場合、吸引可能範囲の平面投影範囲２５′においてテーブル１３の周囲から最も遠い距離をほぼ包含する距離範囲に設定することが妥当である。
【００７６】
空気清浄機１１，１１′を喫煙区画に設置する場合、喫煙区画は通常、職場の壁際に設定されることが多いため、空気清浄機１１，１１′も壁際に一側面を寄せて設置して使用されることが多い。このような場合、最も吸引可能距離が長い側面を壁と反対側に位置させるのが最も効率的な使用形態となる。
【００７７】
このような使用形態では、喫煙者が空気清浄機１１，１１′の横で喫煙する可能性は低く、空気清浄機１１，１１′の手前側（壁と反対の側面）で喫煙する可能性が高い。したがって人感センサ１８の検知範囲２１″を、吸引可能範囲の平面投影範囲２５′においてテーブル１３の周囲から最も遠い距離をほぼ包含する距離範囲に設定することにより、空気清浄機１１，１１′に効率良く煙草の煙を吸込ませて浄化させることができるようになる。
【００７８】
なお、上記の第１〜第７の実施の形態では人感センサ１８に焦電型赤外線センサを用いたが、このタイプのセンサは１個のセンサで周囲のどこかに人が存在するとそれを検知することができる特徴があり、それだけ、センサの個数を少なくして必要な検知範囲をカバーすることができる。しかしながら、センサはこのタイプに限定されることはなく、検知範囲が狭い（つまり、指向性の強い）反射光検知型センサ、超音波センサなどを用いることもできる。この場合、検知範囲をカバーするのが１個のセンサでは困難であれば、多数個のセンサを用いて必要な検知範囲をカバーするようにしてもよい。
【００８０】
さらに、上記のいずれの実施の形態にあっても人感センサ１８が人の存在を検知した場合に、例えば、「ピッ」というような検知音を発する構成、または検知ランプを点灯させる構成にすれば、喫煙に来た人が空気清浄機の起動をその音またはランプで確認してから喫煙を始めることができるようになる。
【００８１】
【発明の効果】
以上のように請求項１の発明によれば、人感センサが空気清浄機の浮遊粉じん吸引可能範囲内にいる人を検知し、運転制御回路がこの人感センサの検知信号を受けて空気清浄機を起動して空気清浄化を行うようにしたので、従来のように空気清浄機の吸引可能範囲外の人でも人感センサがその存在または動きを検知すれば空気清浄機を起動する場合に比べて、実際に空気清浄機の近くに来て煙草を吸おうとする喫煙者のみを確実に検知して空気清浄機を起動させて空気清浄化を行い、無駄な起動を少なくして省エネを図り、かつ必要な場合には確実に空気清浄機を動作させることができる。そしてこの結果として、職場に喫煙区画を設定し、その中に空気清浄機を設置する場合に、当該空気清浄機の浮遊粉じん吸引可能範囲を喫煙区画とすることにより狭い喫煙区画にして確実に分煙化が図れることになる。
【００８２】
加えて、当該空気清浄機を分煙対策機器にのみ使用する場合、喫煙者だけを検知して自動運転できるので、喫煙者以外を検知して空気清浄機が起動する機会が少なく、それだけ空気清浄機が浮遊粉じんを吸引して除去する空気浄化運転する機会を少なくでき、煙草の煙以外の浮遊粉じんをも集塵除去することにより空気清浄機の汚れを除去するための清掃サイクルを長くでき、ユーザーにかかるランニングコストが低減できる利点もある。
【００８３】
また、請求項１の発明によれば、喫煙しようとして人が空気清浄機に近づく時にその人の下肢部を人感センサが検知して空気清浄機を動作させることになり、空気清浄機に近づいて喫煙しようとする人だけを確実に検知して空気清浄機を自動運転することができる。
【００８４】
また、請求項１の発明によれば、空気清浄機の吸引可能範囲のいずれの位置に喫煙者が近づいてもその人を検知して空気清浄機を自動運転することができる。
【００８５】
請求項２の発明によれば、空気清浄機の周囲から等距離範囲にある浮遊粉じん吸引可能範囲に人感センサの検知範囲を一致させることにより、空気清浄機の周囲のいずれの位置で人が喫煙しても、その喫煙者を自動的に検知して空気清浄機を起動し、煙草の煙を吸引して清浄化できる。
【００８６】
請求項３の発明によれば、請求項１の発明の効果に加えて、空気清浄機の浮遊粉じん吸引可能範囲の床投影面が当該空気清浄機の周囲から不等距離である場合に、人感センサの検知範囲を当該空気清浄機の周囲から等距離の範囲とし、かつ浮遊粉じん吸引可能範囲の床投影面のうち空気清浄機から最も遠い距離とほぼ一致する距離範囲に設定したので、最も吸引可能距離が長い側面を壁と反対側に位置させるようにして空気清浄機を壁際に設置する場合に、空気清浄機に効率良く煙草の煙を吸込ませて浄化させることができる。
【００８７】
請求項５の発明によれば、最低限度の個数の人感センサによって喫煙のために空気清浄機に３６０度いずれの位置に存在する人をも検知して自動運転することができる。
【００８８】
請求項６の発明によれば、人感センサが空気清浄機の吸引可能範囲内の人を検知すると空気清浄機を所定の設定時間だけ運転するので、最後の人が空気清浄機から離れて人感センサが吸引可能範囲内の人を検知しなくなった後も、設定時間だけ継続して空気清浄機を作動させて残っている煙を浄化し、分煙対策をより効果的なものとすることができる。
【００８９】
請求項７の発明によれば、喫煙者の出入りに伴う、空気清浄機の不要な運転を避けることができる。
【００９０】
請求項７の発明によれば、更に、省エネルギーと集じん効果のバランスの取れた空気清浄機の運転を行うことができる。
【００９５】
請求項１４の発明によれば、請求項１３の発明の効果に加えて、更に、省エネルギーと集じん効果のバランスの取れた空気清浄機の運転を行うことができる。
【図面の簡単な説明】
【図１】  本発明の第１の実施の形態のテーブル型空気清浄機の運転制御装置の回路ブロック図。
【図２】  上記の実施の形態の運転制御のフローチャート。
【図３】  上記の実施の形態の運転制御の具体的な動作を説明するタイミングチャート。
【図４】  上記の実施の形態における空気清浄機の正面図。
【図５】  上記の実施の形態における空気清浄機の側面図。
【図６】  上記の実施の形態における空気清浄機の平面図。
【図７】  上記の実施の形態における空気清浄機の底面図。
【図８】  上記の実施の形態における空気清浄機の斜め下から見た斜視図。
【図９】  上記の実施の形態における人感センサの人検知範囲を示す側面図。
【図１０】  上記の実施の形態における人感センサの人検知範囲を示す平面図。
【図１１】  上記の実施の形態における空気清浄機の浮遊粉じん吸引可能範囲と人感センサの人検知範囲との関係を示す側面図。
【図１２】  上記の実施の形態の作用を示す平面図。
【図１３】  上記の実施の形態の作用を示す側面図。
【図１４】  本発明の第３の実施の形態の適用されるカウンタ型空気清浄機の斜視図。
【図１５】  上記の実施の形態における空気清浄機の正面図。
【図１６】  上記の実施の形態における空気清浄機の側面図。
【図１７】  上記の実施の形態における空気清浄機の平面図。
【図１８】  上記の実施の形態における空気清浄機の底面図。
【図１９】  上記の実施の形態における人感センサの人検知範囲を示す側面図。
【図２０】  上記の実施の形態における空気清浄機の浮遊粉じん吸引可能範囲と人感センサの人検知範囲との関係を示す側面図
【図２１】  上記の実施の形態の作用を示す側面図。
【図２２】  本発明の第４の実施の形態における人感センサの人検知範囲を示す底面図。
【図２３】  本発明の第５の実施の形態における人感センサの人検知範囲を示す底面図。
【図２４】  本発明の第６の実施の形態における人感センサの人検知範囲を示す底面図。
【図２５】  本発明の第７の実施の形態における人感センサの人検知範囲を示す底面図。
【図２６】  従来例で用いられている人感センサの人検知範囲を示す平面図。
【図２７】    従来例で用いられている人感センサの人検知範囲を示す側面図。
【符号の説明】
１１，１１′  空気清浄機
１２  吸込ドーム
１３  テーブル  １４，１４′  本体
１８  人感センサ
２１，２１′，２１″  検知範囲
２２，２２′  吸引可能範囲
２３  不感範囲
２５，２５′  投影範囲
２６，２６ａ，２６ｂ  検知範囲
３１  赤外線受光部
３２  増幅回路
３３  検出回路
３４  タイマー
３５  操作部
３６  制御回路
３７  空気清浄機ユニット
３８  表示部
【図１】
0003771379.tif 000002
【図２】
0003771379.tif 000003
【図３】
0003771379.tif 000004
【図４】
0003771379.tif 000005
【図５】
0003771379.tif 000006
【図６】
0003771379.tif 000007
【図７】
0003771379.tif 000008
【図８】
0003771379.tif 000009
【図９】
0003771379.tif 000010
【図１０】
0003771379.tif 000011
【図１１】
0003771379.tif 000012
【図１２】
0003771379.tif 000013
【図１３】
0003771379.tif 000014
【図１４】
0003771379.tif 000015
【図１５】
0003771379.tif 000016
【図１６】
0003771379.tif 000017
【図１７】
0003771379.tif 000018
【図１８】
0003771379.tif 000019
【図１９】
0003771379.tif 000020
【図２０】
0003771379.tif 000021
【図２１】
0003771379.tif 000022
【図２２】
0003771379.tif 000023
【図２３】
0003771379.tif 000024
【図２４】
0003771379.tif 000025
【図２５】
0003771379.tif 000026
【図２６】
0003771379.tif 000027
【図２７】
0003771379.tif 000028